(57)【要約】  多焦点拡大鏡が開示される。多焦点拡大鏡は支持面上に置かれた基板、基板に固定され上方に延びる支柱、たとえ卓上の傾斜した（約４５°）本または新聞を拡大したときも、使用者が上側部と下側部に見られる拡大された文字を像のゆがみ無しにほぼ同じ大きさで見られるように、支柱の端に取り付けられ一側部から他側部にかけて漸増する度数を有するレンズを備える。
2008521052.tif 000002
【特許請求の範囲】
【請求項１】
支持面上の基板と、
前記基板に固定され、上方に延びた支柱と、
前記支柱の端に連結され、一側部から他側部にかけて漸増する度数を有するレンズとを
備えたことを特徴とする多焦点拡大鏡。
【請求項２】
前記レンズは矩形で、前記レンズの上側部は低い度数、前記レンズの下側部は高い度数を有することを特徴とする請求項１に記載の多焦点拡大鏡。
【請求項３】
前記レンズは、折り畳み可能な、蝶番により互いに連結された二枚のレンズ構造を有することを特徴とする請求項１または２に記載の多焦点拡大鏡。
【請求項４】
更に前記支柱の端に取り付けられた照明装置を備えたことを特徴とする請求項１または２に記載の多焦点拡大鏡。
【請求項５】
更に前記支柱の端に取り付けられた照明装置を備えたことを特徴とする請求項３に記載の多焦点拡大鏡。
【発明の詳細な説明】
【技術分野】
【０００１】
本発明は多焦点拡大鏡に関するもので、特に支持面に置かれた基板、基板に固定され基板から上方に延びる支柱、一側部から他側部にかけて漸増する度数を有するレンズを含み、たとえ使用者が卓上に置かれた傾斜した（約４５°）本や新聞を拡大したときでも歪みなく、上側部と下側部でほぼ同じ大きさの拡大された文字を見ることができる多焦点拡大鏡に関する。
【背景技術】
【０００２】
大韓民国実用新案登録第２０-３４０８２号（出願番号２０-２００１-８３９８号、引用文献１）は机上灯の拡大鏡を開示しており、大韓民国実用新案登録第２０-２９４０４０号（出願番号２０-２００２-１１７６２号、引用文献２）は蛇腹式拡大鏡を開示している。
【特許文献１】大韓民国実用新案登録第２０-３４０８２号
【特許文献２】大韓民国実用新案登録第２０-２９４０４０号
【発明の開示】
【発明が解決しようとする課題】
【０００３】
しかし上記従来の拡大鏡は単焦点レンズであり、対象物と平行に置かないと像がゆがむという不都合がある。言い換えると対象物（例えば本）が卓上に置かれ、本を読むためレンズが卓に対して４５°傾いているとき、レンズの上側部に見える文字はこのレンズ領域が相対的に対象物から遠いため大きく見え、レンズの下側部に見える文字はこのレンズ領域が相対的に対象物に近いため小さく見える。
【課題を解決するための手段】
【０００４】
したがって本発明は上記の問題点を考慮し、本発明出願人により出願された関連機器とその効率の改良のためなされたもので、本発明の目的は、卓上に置かれた傾斜した（約４５°）本や新聞を拡大したときでも、使用者は多焦点拡大鏡の上側部と下側部に見られる拡大された文字をほぼ同じ大きさで像のゆがみがなく見られるように、上側部では低い度数で、上側部から下側部にかけて度数の漸増する多焦点拡大鏡を提供することである。
【０００５】
本発明の多焦点拡大鏡は、支持面上の基板と、前記基板に固定され、上方に延びた支柱と、前記支柱の端に連結され、一側部から他側部にかけて漸増する度数を有するレンズとを備えたことを特徴とする。
【０００６】
本発明の多焦点拡大鏡は、前記レンズは矩形で、前記レンズの上側部は低い度数、前記レンズの下側部は高い度数を有することを特徴とする。
【０００７】
本発明の多焦点拡大鏡は、前記レンズは、折り畳み可能な、蝶番により互いに連結された二枚のレンズ構造を有することを特徴とする。
【０００８】
本発明の多焦点拡大鏡は、更に前記支柱の端に取り付けられた照明装置を備えたことを特徴とする。
【０００９】
本発明の多焦点拡大鏡は、更に前記支柱の端に取り付けられた照明装置を備えたことを特徴とする。
【発明の効果】
【００１０】
上述のとおり本発明の多焦点拡大鏡によれば、卓上に置かれた傾斜した（約４５°）本や新聞を拡大したときでも、多焦点拡大鏡の上側部と下側部に見られる拡大された文字は像のゆがみなくほぼ同じ大きさで見られる。
【００１１】
さらに多焦点拡大鏡は携帯の便のため折り畳むことができる。
【００１２】
本発明の上述の、そして他の目的、特徴、利点は以下の付随する図面を参照した詳細な説明からより明確に理解される。
【００１３】
図１は本発明の好ましい実施態様による一体型多焦点拡大鏡の斜視図である。
【００１４】
図２は本発明の他の好ましい実施態様による折畳式多焦点拡大鏡の斜視図である。
【発明を実施するための最良の形態】
【００１５】
以後本発明の好ましい実施態様が詳細に説明される。しかし好ましい実施態様は例示的な目的のために説明されるのであり、本発明の技術思想と範囲を限定するものではない。
【００１６】
（実施例１）図１は本発明の好ましい実施態様による一体型多焦点拡大鏡の斜視図である。
【００１７】
図１に見られるように基板１０は机、卓などの支持面に置かれる。好ましくは基板１０はレンズ３０の重さを支持するのに十分な重さを有する。
【００１８】
基板１０の中央に支柱２０の下端が固定される。支柱２０は一種の可撓管で、図では支柱２０の中間部は可撓管を示す記号を省略している。
【００１９】
支柱２０の上端に連結器具２２が取り付けられている。
【００２０】
レンズ３０は連結器具２２に固定されている。支柱２０をレンズ３０に連結可能なあらゆる種類の連結器具が連結器具２２として使用できる。
【００２１】
連結器具２２に照明装置５０が取り付けられる。照明装置５０は暗いとき、または物体、文字、絵などがレンズ３０により拡大されてもよく見えないときに使用される。連結器具２２または基板１０に照明装置５０を入・切するためのスイッチが取り付けられる。
【００２２】
レンズ３０は横長の矩形である。この多焦点拡大鏡は卓上で折り畳まない設計であり、聖書、本、銀行の入出金伝票を読むのに使用され、好ましくは横長であり、一方、縦長レンズは行政機関の民生部門の書類を読むのに使用される。
【００２３】
卓上の本や聖書を読むためレンズが卓に対して約３０°から６０°の傾きを保つと最も目に良い。
【００２４】
レンズ３０は縦方向に区分された横長矩形で、各区分領域は互いに異なる度数を有する。度数表示３２は実際はレンズ３０に表示されず、単に例示目的で図に描かれている。レンズ最上部の区分領域の度数値は＋１．００、レンズ３０の隣の区分領域の度数値は＋１．２５で、レンズの下部にいくにしたがい度数値は順次増加する。このように度数値はレンズの下部領域にいくにしたがい順次増加するので、卓上に開かれた本の文字は、レンズ３０の上側部下側部のいずれにおいてもほぼ同じ大きさに見える。
【００２５】
文字の大きさは目の位置により変わるので、レンズ３０の上側部下側部のいずれにおいてもほぼ同じ大きさに見えるようにレンズ３０の角度は調整できる。
【００２６】
度数間境界３４は、境界３４の上の区分領域の度数と境界３４の下の別の区分領域の度数とが異なることを意味する。境界３４は例示目的のためだけに図示され、実際にはレンズ３０に現れない。
【００２７】
レンズ３０は下側部から上側部にいくにしたがい徐々に薄くなる、というのはレンズ３０は度数が小さいと薄くできるからである。
【００２８】
必要ならレンズ３０の上側部はレンズ３０の下側部の厚さと同じ厚さにもできる。
【００２９】
レンズ３０としてポリカーボネートレンズが使用される。ポリカーボネートレンズは通常レンズに比べ耐衝撃性、耐熱性、耐候性、自己消火性、透明性に優れ、特に従来の強化ガラスより１５０倍も強く衝撃に耐える。このため外部衝撃で（たとえ車両に轢かれても）レンズ３０を破壊することは非常に困難なので、レンズ３０の厚さは２から５ｍｍにできる。レンズ３０の重さは従来の強化ガラスの１／３なので、レンズ３０はたとえ大きさが２５０ｍｍ×１５０ｍｍでも従来の強化ガラスよりも軽い。
【００３０】
このようにポリカーボネートレンズ３０は軽いので基板１０は小さくでき、可撓管２０がレンズ３０を支持するのに使用できる。
【００３１】
支柱２０と基板１０の各種改良例が考えられる。例えば引用文献１に開示された支柱、及び／又は引用文献２に開示されたはさみ形支柱が使用できる。他にも連結器具がレンズ３０の横側に連結され、支柱が連結器具に縦方向に連結され、基板が支柱の下にあるような改良例も可能である。
【００３２】
ポリカーボネートレンズがレンズ３０として使われるのでレンズ３０は非常に薄くできる。このためレンズ３０が使用者の手、皮膚を薄いへりで傷つけるおそれがあるので、好ましくはレンズ３０のへりは丸められる。必要ならレンズ３０のへりを保護する保護材がへりに取り付けられる。例えばレンズ３０の角、及び／又は、へりはシリコーン樹脂で覆われても良い。
【００３３】
（実施例２）図２は本発明の他の好適な実施態様による折畳式多焦点拡大鏡の斜視図である。
【００３４】
図２に示すように、レンズ３０は二枚の板に分離されており、図１に描かれたレンズ３０と、分離された二枚の板が蝶番４０により連結されていること以外は同じである。
【００３５】
蝶番４０は互いに連結されるレンズ３０の右側面と左側面とに装着されている。重力による下向きの力がレンズの左側の板に加わったときでもレンズ３０を平行に保つため、蝶番４０はレンズ３０の上側部に装着される。
【００３６】
蝶番４０は好ましくは高強度の透明材料で作られる。
【００３７】
必要なら蝶番４０はレンズ３０の上側部ではなく、レンズ３０の左右の板を互いに連結するためレンズ３０の横側部に装着することも可能である。
【００３８】
蝶番４０がレンズ３０の横側部に装着され、シリコーン樹脂のような保護材がレンズ３０の横側部に取り付けられたとき、蝶番４０を隠すことも可能である。
【００３９】
蝶番４０は他の各種連結器具と置き換えられる。
【００４０】
本発明の蝶番４０は従来の蝶番を意味せず、レンズ３０の左右の板を互いに連結し、レンズ３０を折り畳むための連結器具を意味する。
【００４１】
多焦点拡大鏡を包むとき体積を小さくできるように、レンズ３０は折り畳め、支柱２０と基板１０はレンズ３０と分離できる。
【００４２】
本発明の態様により、支持面上の基板、基板に固定され上方に延びる支柱、支柱の先端に連結され一側部から他側部にかけて漸増する度数を有するレンズを備えた多焦点拡大鏡の提供により、上記および他の目的が実現される。好ましくはレンズは非球面レンズを含む。
【００４３】
好ましくは、レンズは矩形で上側部は低い度数、下側部は高い度数を有する。
【００４４】
レンズは二枚のレンズが折り畳めるように蝶番によって互いに連結された構造である。
【００４５】
さらに多焦点拡大鏡は支柱の端に取り付けられた照明装置をも含む。
【産業上の利用可能性】
【００４６】
上述のように本発明の多焦点拡大鏡は、書類を提出する人が使用できるように拡大鏡を備えている行政機関の民生部門のような場所に備えられる。
【図面の簡単な説明】
【００４７】
【図１】本発明の好ましい実施態様による一体型多焦点拡大鏡の斜視図。
【図２】本発明の他の好ましい実施態様による折畳式多焦点拡大鏡の斜視図。
【符号の説明】
【００４８】
１０  基板
２０  支柱
２２  連結器具
３０  レンズ
３２  度数表示
３４  度数間の境界
４０  蝶番
５０  照明装置
【図１】
2008521052.tif 000003
【図２】
2008521052.tif 000004
【国際調査報告】
2008521052.tif 000005
2008521052.tif 000006